(57)【要約】【課題】同じコンテンツの信号を複数の信号形式で選択的に送出する送信側装置に対して、自己に好適する信号を受け取るための受信仕様データを出力する。【解決手段】前記送信側装置へ受信仕様データを送信すると共に、前記送信側装置から、所定の規格で送られてくる信号を受信して映像信号に復号する送受信及び信号処理部３４、３５と、メモリ４１と、前記複数の信号形式のうち、デフォルトとして指定する第１の受信仕様データの他に、所望の信号形式を指定する第２の受信仕様データを設定し、前記メモリ４１に格納するシステム設定部３８ｂと、前記第１の受信仕様データと第２の受信仕様データのいずれを前記送信側装置へ送信信号として採用するかを決定させる表示処理部３１とを有する。【選択図】図１
2007096604.tif 000002
【特許請求の範囲】
【請求項１】
同じコンテンツの信号を複数の信号形式で選択的に送出する送信側装置に対して、自己の受信仕様データを出力する受信側電子装置であって、
前記送信側装置へ受信仕様データを送信すると共に、前記送信側装置から、所定の規格で送られてくる信号を受信して映像信号に復号する送受信及び信号処理部と、
メモリと、
前記複数の信号形式のうち、デフォルトとして指定する第１の受信仕様データの他に、所望の信号形式を指定する第２の受信仕様データを設定し、前記メモリに格納するシステム設定部と、
前記第１の受信仕様データと第２の受信仕様データのいずれを前記送信側装置へ送信信号として採用するかを決定させる表示処理部と
を有したことを特徴とする電子装置。
【請求項２】
前記受信仕様データは、ＨＤＭＩ規格で定義されているＥＤＩＤデータであることを特徴とする請求項１記載の電子装置。
【請求項３】
前記受信仕様データは、ＨＤＭＩ規格で定義されているＥＤＩＤデータであり、かつ、前記第１の受信仕様データと、第２の受信仕様データとは、ハイディフィニション（ＨＤ）信号を指定するデータと、スタンダード（ＳＤ）信号を指定するデータであることを特徴とする請求項１記載の電子装置。
【請求項４】
同じコンテンツの信号を複数の信号形式で選択的に送出する送信側装置に対して、自己の受信仕様データを出力する映像表示装置であって、
前記送信側装置へ受信仕様データを送信すると共に、前記送信側装置から、所定の規格で送られてくる信号を受信して映像信号に復号する送受信及び信号処理部と、
メモリと、
前記複数の信号形式のうち、デフォルトとして指定する第１の受信仕様データの他に、所望の信号形式を指定する第２の受信仕様データを前記メモリに格納するシステム設定部と、
前記第１の受信仕様データと第２の受信仕様データのいずれを前記送信側装置へ送信信号として採用するかを決定させるための表示処理部と、
前記第２の受信仕様データが採用されて、この第２の受信仕様データに対応する所望の信号形式の信号が送られてきたときに、この信号を他の信号形式に変換する変換部
を有したことを特徴とする映像表示装置。
【請求項５】
前記受信仕様データは、ＨＤＭＩ規格で定義されているＥＤＩＤデータであり、かつ、前記第１の受信仕様データと、第２の受信仕様データとは、ハイディフィニション（ＨＤ）信号を指定するデータと、スタンダード（ＳＤ）信号を指定するデータであることを特徴とする請求項４記載の映像表示装置。
【請求項６】
前記受信仕様データは、ＨＤＭＩ規格で定義されているＥＤＩＤデータであり、かつ、前記第１の受信仕様データと、第２の受信仕様データとは、ハイディフィニション（ＨＤ）信号を指定するデータと、スタンダード（ＳＤ）信号を指定するデータであり、
前記表示処理部は、前記ＨＤ信号の受信設定項目と、前記ＳＤ信号の受信設定項目を表示する
ことを特徴とする請求項４記載の映像表示装置。
【請求項７】
前記受信仕様データは、ＨＤＭＩ規格で定義されているＥＤＩＤデータであり、かつ、前記第１の受信仕様データと、第２の受信仕様データとは、ハイディフィニション（ＨＤ）信号を指定するデータと、スタンダード（ＳＤ）信号を指定するデータであり、
前記表示処理部は、前記ＨＤ信号の受信設定項目と、前記ＳＤ信号の受信設定項目と、オリジナルソースの受信設定項目を表示する
ことを特徴とする請求項４記載の映像表示装置。
【請求項８】
前記受信仕様データは、ＨＤＭＩ規格で定義されているＥＤＩＤデータであり、かつ、前記第１の受信仕様データと、第２の受信仕様データとは、ハイディフィニション（ＨＤ）信号を指定するデータと、スタンダード（ＳＤ）信号を指定するデータであり、
前記表示処理部は、前記ＨＤ信号の受信設定項目と、前記ＳＤ信号の受信設定項目を表示し、
前記変換部は、ＳＤ信号をＨＤ信号へ変換するＳＤ−ＨＤアップコンバータである
ことを特徴とする請求項４記載の映像表示装置。
【請求項９】
同じコンテンツの信号を複数の信号形式で選択的に送出する送信側装置へ受信仕様データを送信すると共に、前記送信側装置から、所定の規格で送られてくる信号を受信して映像信号に復号する送受信及び信号処理部と、メモリと、映像信号を出力する表示処理部と、そして信号形式を変換する変換部の動作を統括する制御部とを有した装置において、前記制御部の制御方法は、
前記複数の信号形式のうち、デフォルトとして指定する第１の受信仕様データの他に、所望の信号形式を指定する第２の受信仕様データを前記メモリに格納し、
前記第１の受信仕様データと第２の受信仕様データのいずれを前記送信側装置への送信信号として採用するかを決定させるための表示を行い、
前記第２の受信仕様データが採用され、この第２の受信仕様データに対応する所望の信号形式の信号が送られてきたときに、この信号を他の信号形式に変換する
ことを特徴とする映像表示装置の制御方法。
【請求項１０】
前記受信仕様データは、ＨＤＭＩ規格で定義されているＥＤＩＤデータであり、かつ、前記第１の受信仕様データと、第２の受信仕様データとは、ハイディフィニション（ＨＤ）信号を指定するデータと、スタンダード（ＳＤ）信号を指定するデータであり、前記第２の受信仕様データに対応する前記スタンダード（ＳＤ）信号が送られてきたときに、この信号をハイディフィニション（ＨＤ）信号に変換する
ことを特徴とする請求項９記載の映像表示装置の制御方法。
【発明の詳細な説明】
【技術分野】
【０００１】
この発明は、例えば映像や音声等の信号を外部接続された他の機器から受信して処理を施す電子機器及び映像受信装置及びその制御方法に関する。
【背景技術】
【０００２】
周知のように、デジタル映像信号を伝送するための規格として、ＤＶＩ（digital visual interface）規格が普及している。そして、近年では、このＤＶＩ規格をさらに改良したデジタル信号伝送規格として、ＨＤＭＩ（high definition multimedia interface）規格が採用されるようになってきている。
【０００３】
このＨＤＭＩ規格には、例えば、デジタル映像信号のブランキング期間にデジタル音声信号を多重化して音声伝送を行なうことが可能であること、デジタル映像信号をＲＧＢ信号の形態で伝送する他に、ＹＣｂＣｒ信号の形態またはそれより高画質なＹＰｂＰｒ信号の形態で伝送することが可能であること、ＵＳＢ（universal serial bus）ライクの小型のＨＤＭＩコネクタで接続することが可能であること等々、ＤＶＩ規格にない種々の規定が盛り込まれている。
【０００４】
ＨＤＭＩ規格では、一方の電子機器から他方の電子機器に映像や音声等の信号を伝送する場合、送信側となる電子機器が受信側となる電子機器からＥＤＩＤ（extended display identification）データを取得することにより、受信側の電子機器が有するディスプレイの受信仕様に合わせた形態で信号を出力することができるようになっている。
【０００５】
受信側の電子機器からＥＤＩＤデータを送信する場合、受信側のディスプレイの能力に応じたデータを要求する内容のＥＤＩＤデータを送信している。また、送信側の電子機器が変更された場合、送信側の送信能力に応じたＥＤＩＤデータを送信している。例えば、特許文献１には、受信側が液晶プロジェクタであり、送信側がパーソナルコンピュータ（ＰＣ）またはデセットトップボックス（ＳＴＢ）としたシステムが開示されている。ここでは、送信側の機器に適合する複数種類のＥＤＩＤデータを不揮発性メモリに格納しておき、接続される機器に応じて、いずれかのＥＤＩＤデータを接続機器へ送信している。
【特許文献１】特開２００４−１０２０６７公報
【発明の開示】
【発明が解決しようとする課題】
【０００６】
ところで近年では、送信側の接続機器として、映像記録再生装置（例えばデジタルバーサタイルディスク（ＤＶＤ）記録再生装置、或いはハードディスク装置）であって、ＳＤ（スタンダード：標準）信号出力機能と、ＨＤ（ハイディフィニション：高品位）信号出力機能を有するものが開発されている。また、信号を外部出力する場合、ＨＤＭＩ規格に沿ったＨＤＭＩ送受信部を搭載したものも開発されている。また、上記の映像記録再生装置は、ＳＤ信号をＨＤ信号に変換して出力する機能も有する。
【０００７】
一方、受信側の装置、例えばデジタルテレビジョン受信装置或いはデジタル映像処理装置にもＨＤＭＩ規格に沿ったＨＤＭＩ送受信部を搭載したものも開発されている。この受信側の装置は、最近では、ＨＤ信号にも対応できるものがほとんどである。
【０００８】
上記した送信側の装置と、受信側の装置とがＨＤＭＩコネクタを介して接続された場合、ＥＤＩＤデータの送受信に関しては、以下のような処理を行うのが通常である。即ち、受信側の装置は、ＨＤＭＩコネクタを介してＥＤＩＤデータを送信する。ＥＤＩＤデータは、ＨＤ信号にも対応可能であることを宣言している。すると、送信側の装置は、ソース信号がＨＤ信号であれば、そのＨＤ信号をそのまま送信し、ソース信号がＳＤ信号であれば、ＳＤ信号をアップコンバートして擬似ＨＤ信号に変換して送信する。
【０００９】
しかし、近年では、ＳＤ信号をアップコンバートする機能が、受信側にも設けられており、受信側でアップコンバートした方が、送信側でアップコンバートするよりも品質が良い場合がある。
【００１０】
そこでこの発明は、送信側の装置が、同一内容の信号の複数形式を送信する性能を有する場合、受信側の装置がその形式を指定したＥＤＩＤ信号を送ることができるようにし、受信側の装置が好都合な信号を受けられるようにした電子機器及び映像受信装置及びその制御方法を提供することを目的とする。
【課題を解決するための手段】
【００１１】
この発明の一面は、同じコンテンツの信号を複数の信号形式で選択的に送出する送信側装置に対して、自己の受信仕様データを出力する受信側電子装置であって、前記送信側装置へ受信仕様データを送信すると共に、前記送信側装置から、所定の規格で送られてくる信号を受信して映像信号に復号する送受信及び信号処理部と、メモリと、前記複数の信号形式のうち、デフォルトとして指定する第１の受信仕様データの他に、所望の信号形式を指定する第２の受信仕様データを設定し、前記メモリに格納するシステム設定部と、前記第１の受信仕様データと第２の受信仕様データのいずれを前記送信側装置へ送信信号として採用するかを決定させる表示処理部とを有する。
【発明の効果】
【００１２】
上記した手段によると、例え送信側がアップグレードの信号を送る能力を有していても、下位のグレードの信号を要求し、受信側において、アップグレードの信号に変換する処理を行うことができる。つまり、自己の装置に好適した信号を受け取ることができる。
【発明を実施するための最良の形態】
【００１３】
以下、図面を参照してこの発明の実施の形態を説明する。図１は、この実施の形態で説明するデジタル信号伝送システムを示している。図１において、符号１００は送信側の電子機器となる光ディスク再生装置である。
【００１４】
この光ディスク再生装置１００は、光ディスク（又はハードディスクでもよい）１５を再生して得られた映像や音声等の信号をＨＤＭＩ規格に準拠した形態に変換し、伝送路１２を介して、受信側の電子機器となるテレビジョン受信装置２００に送信することができる。
【００１５】
このテレビジョン受信装置１００は、テレビジョン放送信号を受信して映像表示や音声再生を行なう機能を有するとともに、伝送路１２を介して供給されるＨＤＭＩ規格に準拠した形態の映像や音声の信号に対して、映像表示や音声再生を行なう機能を有する。
【００１６】
ここで、光ディスク再生装置１００には、テレビジョン受信装置２００に映像や音声等の信号を出力するに先立ち、伝送路１４を介して、テレビジョン受信装置２００からＥＤＩＤデータが送信されてくる。
【００１７】
テレビジョン受信装置２００には、予め自己のディスプレイの仕様（解像度等）、表示能力、変換能力を示す複数のＥＤＩＤデータが格納されておいる。テレビジョン受信装置２００は、ユーザが指定して設定されているＥＤＩＤデータを選択して伝送路１４を介して光ディスク再生装置１００に送信することができる。
【００１８】
光ディスク再生装置１００では、取得したＥＤＩＤデータに基づいてテレビジョン受信装置１３のディスプレイ仕様を認識し、その仕様に合わせた形態の映像や音声等の信号を、伝送路１２を介してテレビジョン受信装置２００に出力することができる。
【００１９】
ここで、上記テレビジョン受信装置２００には、その製造時に、複数の仕向け先または受信動作等に対応して用意された、複数種類のＥＤＩＤデータが、予めメモリ４１等に格納されている。例えば、ＨＤ信号を処理可能である、ＳＤ信号を処理可能である、オリジナル信号を処理可能であるなどを示すＥＤＩＤデータが格納されている。しかし、通常は、デフォルトのＥＤＩＤデータが設定されており、他の種類のＥＤＩＤデータは、後で説明するようにユーザが設定することができる。
【００２０】
光ディスク再生装置１００の信号処理系を説明する。光ディスク再生装置１００は、例えばＤＶＤ（digital versatile disk）等の光ディスク１５がディスクドライブ部１６に装着され、再生が要求されることにより、その記録データを読み取る。
【００２１】
ディスクドライブ部１６で読み取られたデータは、デコーダ部１７及び信号処理部１８に供給されることにより、デジタル化処理、エラー訂正処理及び復号化処理等が順次施されて、デジタルの映像信号及び音声信号に復元される。
【００２２】
復元されたデジタルの映像信号及び音声信号は、ＨＤＭＩ送受信部１９に供給されてＨＤＭＩ規格に準拠した形態に変換され、伝送路１２を介して受信側となる電子機器（この場合、テレビジョン受信装置２００）に導出される。
【００２３】
ＨＤＭＩ送受信部１９は、伝送路１４を介して接続された受信側となる電子機器（この場合、テレビジョン受信装置２００）に対してＥＤＩＤデータの要求を行なうことができる。
【００２４】
さらにＨＤＭＩ送受信部１９は、伝送路１４を介して接続された受信側となる電子機器（この場合、テレビジョン受信装置２００）から出力されたＥＤＩＤデータを取得することができる。
【００２５】
またこの光ディスク再生装置１００には、製造元であるメーカーに特有なオリジナル信号処理部２２ａが内蔵されていても良い。オリジナル信号処理部２２ａは例えば光ディスク１５のコンテンツに関連させたコマーシャル情報、商品割引情報、さらには、各種の制御情報などである。
【００２６】
ここで、光ディスク再生装置１００は、上記した再生動作を含むその全ての動作を制御部２２により統括的に制御されている。制御部２２は、ＣＰＵ（Central Processing Unit）等を内蔵しており、リモートコントローラ等の操作部２３から送出された操作情報を受信し、その操作内容が反映されるように各部をそれぞれ制御している。
【００２７】
この場合、制御部２２は、メモリ部２４を利用している。このメモリ部２４は、主として、ＣＰＵが実行する制御プログラムを格納したＲＯＭ（Read Only Memory）と、該ＣＰＵに作業エリアを提供するＲＡＭ（Random Access Memory）と、各種の設定情報及び制御情報等が格納される不揮発性メモリとを有している。
【００２８】
そして、制御部２２は、ＨＤＭＩ送受信部１９で取得したＥＤＩＤデータに基づいて、受信側となる電子機器（この場合、テレビジョン受信装置１３）のディスプレイ仕様を認識し、信号処理部１８に対して、その仕様に合わせた形態の映像や音声等の信号を生成するように制御している。
【００２９】
さらに光ディスク装置１００は、ＳＤ−ＨＤアップコンバータ２５を有し、ＳＤ信号をＨＤ信号にアップコンバートすることができる。このために、ＥＤＩＤデータが、受信側の装置がＨＤ信号対応であることを示す場合には、基本的にはアップコンバートしたＨＤ信号を送出するように設定されている。
【００３０】
次にテレビジョン受信装置２００の信号処理系を説明する。アンテナ２６で受信したテレビジョン放送信号は、チューナ部２７に供給される。チューナ部２７は、入力されたテレビジョン放送信号から所望の放送チャンネルの信号を選局して出力している。
【００３１】
チューナ部２７から出力されたテレビジョン放送信号は、復調部２８及び信号処理部２９によりそれぞれ所定の復調処理及び信号処理が施されて元のテレビジョン信号に復元される。
【００３２】
信号処理部２９から出力されたテレビジョン信号は、混合部３０により、ＯＳＤ（on screen display）信号処理部３１から出力されるＯＳＤ信号と混合されて、セレクタ３２の一方の入力端子に供給される。
【００３３】
一方、上記伝送路１２を介して供給される映像や音声等の信号は、コネクタ３３介してＨＤＭＩ送受信回路３４に供給される。このＨＤＭＩ送受信回路３４は、入力された信号に対して、光ディスク再生装置１００のＨＤＭＩ送受信部１９による変換前の信号に戻す処理を施す。復元された信号は、信号処理部３５、混合部３６を介して上記セレクタ３２の他方の入力端子に供給される。
【００３４】
またこのテレビジョン受信装置２００は、ＳＤ−ＨＤアップコンバータ４２を含む。そして、ＳＤ信号が入力したときは、ＳＤ信号をＨＤ信号にアップコンバートして出力することができる。
【００３５】
セレクタ３２は、混合部３０から供給される信号と、混合部３６から供給される信号とを、選択的にディスプレイ３６に導いて映像表示に供することができる。なお、音声成分は、図示しないスピーカ等により音声再生に供されている。
【００３６】
また、上記伝送路１４を介して供給されるＥＤＩＤデータの取得要求は、コネクタ３３を介してＨＤＭＩ送受信回路３４に供給される。ＨＤＭＩ送受信回路３４は、制御部３８の制御のもとで、入力された要求に応答し、メモリ４０或いは４１に格納された自己のディスプレイ仕様を示すＥＤＩＤデータを伝送路１４に送出して、光ディスク再生装置１００に取得させる。なおメモリ４０と４１は一体のものであっても良い。
【００３７】
テレビジョン受信装置２００は、上記した一連の動作を含むその全ての動作を制御部３８によって統括的に制御されている。この制御部３８は、ＣＰＵ等を内蔵しており、リモートコントローラ等を含む操作部３９からの操作情報を受けて、その操作内容が反映されるように各部をそれぞれ制御している。
【００３８】
この場合、制御部３８は、メモリ部４０を利用している。このメモリ部４０は、主として、ＣＰＵが実行する制御プログラムを格納したＲＯＭと、該ＣＰＵに作業エリアを提供するＲＡＭと、各種の設定情報及び制御情報等が格納される不揮発性メモリを有している。
【００３９】
またテレビジョン受信装置２００にもさきのオリジナル信号処理部２２ａに対応した、オリジナル信号処理部３５ａが設けられていてもよい。オリジナルソースの受信仕様データを光ディスク再生装置１００に送信したとき、オリジナルデータが送られてくる。そこで、受信装置では、オリジナル信号処理部３５ａにて、送られてきたオリジナルデータを処理することができる。オリジナルデータは、特別な規格に設定しておらず、メーカー特有の形式で処理できるデータである。これにより他のメーカーのシステムとの差をつけることができる。
【００４０】
図２は、テレビジョン受信装置２００において、システム設定を行なう場合の画面の様子を示している。このテレビジョン受信装置２００は、ＨＤＭＩ送受信システムを利用して、送信側の機器（この例では光ディスク装置１００）に対して、ＳＤ信号を送るように要求することが可能である。つまり、光ディスク装置１００が、ＳＤ−ＨＤアップコンバータ２５を所有するにも係わらず、ＨＤ信号を断り、ＳＤ信号を要求することが可能である。そのためには、ＨＤＭＩ送受信装置により、受信仕様出力部３８ａとシステム設定部３８ｂとを利用する必要がある。
【００４１】
まず、システム設定部３８ｂを起動するためには、システム設定メニュー画面を表示する。これは、リモートコントローラ４００のメニューボタンを操作することにより可能である。
【００４２】
図２の画面５００は、システム設定用のメニュー画面である。この中に、例えば、「ＨＤＭＩ受信設定」という項目５０１がある。そこで、この項目５０１の場所にカーソルを合わせて決定ボタンを押すと、画面５２０に変わる。ここで、画面５２０には、項目５２１として「ＳＤ受信設定」、項目５２２として「ＨＤ受信設定」、項目５２３として「オリジナルソース受信設定」という項目が現れる。
【００４３】
そこで、例えばユーザが「ＳＤ受信設定」という項目にカーソルを合わせて決定ボタンを操作すると、「ＳＤ受信設定」の横のボタンがグレー又はトーンダウンした状態から「ＯＮ」に変わる。また「ＨＤ受信設定」の横のボタンはグレー若しくはトーンダウンして表示される。この状態から、逆にユーザが「ＨＤ受信設定」という項目にカーソルを合わせて決定ボタンを操作すると、画面５３０に示すように、「ＨＤ受信設定」の横のボタンがグレー又はトーンダウンした状態から「ＯＮ」に変わる。また「ＳＤ受信設定」の横のボタンはグレー若しくはトーンダウンして表示される。さらにこの状態から、さらにユーザが「オリジナルソース受信設定」という項目にカーソルを合わせて決定ボタンを操作すると、画面５４０に示すように、「オリジナルソース受信設定」の横のボタンが「ＯＮ」に変わる。
【００４４】
上記したようにこの装置では、ＥＤＩＤデータが示す受信仕様として、ＨＤ信号を送信できる装置に対して、ＨＤ信号処理能力があるにも係わらず、ＳＤ信号を要求することができる。通常は、ＨＤ信号処理能力がある場合、送信側には、ＨＤ信号受信仕様を現すＥＤＩＤデータを送信しているが、この発明では、ＳＤ信号を要求することができる。これは、この発明の目的でも述べたように近年では、ＳＤ信号をアップコンバートする機能が、受信側にも設けられており、受信側でアップコンバートした方が、送信側でアップコンバートするよりも品質が良い場合がある。
【００４５】
なお、ＥＤＩＤデータが示す他の受信仕様としては、例えば電子機器がＰＣ（personal computer）の場合には、ＶＧＡ（video graphics array）、ＸＧＡ（extended graphics array）、ＵＸＧＡ等、種々の仕様が考えられる。
【００４６】
図３には、テレビジョン受信装置２００において、図２で示したようなシステム設定を行う場合の動作フローを示している。システム設定メニュー要求があると（ステップＳ１）、メニュー表示が行なわれる（ステップＳ２）。図２のメニュー画面５００が得られる。次にＨＤＭＩ受信設定が行なわれると（ステップＳ３）、図２の画面５２０、或いは５３０、或いは５４０が現れ（ステップＳ５）る。次に、決定ボタンが操作されると（ステップ６）、決定された項目に対応するＥＤＩＤデータの登録が行なわれる（ステップＳ６）。登録は、メモリ４１へＥＤＩＤデータの格納という形で行なわれる。最後の設定の完了ボタンが操作されると、処理が終了する（ステップＳ８）。
【００４７】
図４には、図１に示したように、光ディスク装置１００と、テレビジョン受信装置２００が接続され、再生操作が行われたときのテレビジョン受信装置２００側の処理を示している。
【００４８】
再生開始の指令が検出されると（ステップＳＡ１）、受信仕様出力部３８ａは、ＥＤＩＤデータが複数個メモリ４１に格納されているかどうかをチェックする。そして、複数のＥＤＩＤデータのうち、図２で説明したようにボタンが「ＯＮ」になっているものがあるかどうかをチェックする（ステップＳＡ２）。なにも無ければデフォルトのＥＤＩＤデータを受信仕様通知信号として出力する（ステップＳＡ３）。そして受信処理を開始する（ステップＳＡ４）、しかしステップＳＡ２の判断で、例えば、ＳＤ信号を要求するものがある場合には、あえてＳＤ信号要求を行なう（ステップＳＡ５）。これにより、光ディスク装置１００は、受信仕様通知信号に応じた信号をＨＤＭＩ規格の信号で送出する。
【００４９】
図５は、光ディスク再生装置１００側のＨＤＭＩ送受信部１９の動作を示すフローチャートである。再生指令の後、ＥＤＩＤデータが送られてきたかどうかをチェックする（ステップＳＢ１）。なにも送られてこない場合には、デフォルトの処理を開始する（ステップＳＢ２）。ＥＤＩＤデータが送られているときは、その解析を行い（ステップＳＢ３）、ＳＤ信号を要求しているかどうかをチェックする（ステップＳＢ４）。ＳＤ信号が要求されている場合には、ＨＤＭＩ規格に沿って再生したＳＤ信号を送出する。ＳＤ信号を要求していない場合には、オリジナル信号を要求しているかどうかをチェックする（ステップＳＢ５）。オリジナル信号を要求している場合には、オリジナル信号の処理を開始する。なにも要求していない場合には、基本的には、デフォルトで設定されている信号を送出する。
【００５０】
ここで、オリジナル信号の処理とは、例えば、特殊なサービスデータを送出する処理、さらには、チャプター分割した信号を送出するなどである。したがって、例えば、送信側と受信側の機器が予め取り決めた送受信処理を行う場合、オリジナルを要求するＥＤＩＤデータが有効になる。このような機能は、例えば、光ディスク再生装置１００、テレビジョン受信装置２００が同一メーカーであり、他のメーカーでは得られないようなサービスを提供するような場合に有効である。
【００５１】
上記の説明では、受信側の装置はテレビジョン受信装置であるとして説明した。しかし、ＨＤＭＩ送受信回路３４、信号処理回路３５、混合部３６、制御部３８（特に受信仕様出力部３８ａ、システム設定部３８ｂは、テレビジョン受信装置に限らず、セットトップボックス（ＳＴＢ），あるいはサーバーなどに設けても良いことは勿論である。
【００５２】
なお、この発明は、上記実施形態そのままに限定されるものではなく、実施段階ではその要旨を逸脱しない範囲で構成要素を変形して具体化できる。また、上記実施形態に開示されている複数の構成要素の適宜な組み合せにより種々の発明を形成できる。例えば、実施形態に示される全構成要素から幾つかの構成要素を削除してもよい。更に、異なる実施形態に亘る構成要素を適宜組み合せてもよい。
【図面の簡単な説明】
【００５３】
【図１】この発明の一実施の形態を示す構成説明図である。
【図２】この発明の装置において、メニュー画面の例及びシステム設定画面の例を示す説明図である。
【図３】この発明の装置においてシステム設定を行う場合の動作例を示すフローチャートである。
【図４】この発明の装置がＥＤＩＤデータ（受信仕様要求データ）を送信する場合の動作例を示すフローチャートである。
【図５】図１の光ディスク再生装置において、ＥＤＩＤデータを受け取ったときの動作例を説明するために示したフローチャートである。
【符号の説明】
【００５４】
１００…光ディスク再生装置、２００…テレビジョン受信装置、１２…伝送路、１４…伝送路、１５…光ディスク、１６…ディスクドライブ部、１７…デコーダ部、１８…信号処理部、１９…ＨＤＭＩ送受信部、２２…制御部、２３…操作部、２４…メモリ部、２５…アップコンバータ、２７…チューナ部、２８…復調部、２９…信号処理部、３０…混合部、３１…ＯＳＤ信号処理部、３２…セレクタ、３３…コネクタ、３４…ＨＤＭＩ送受信部、３５…信号処理部、３６…混合部、３７…表示部、３８…制御部、３９…操作部、４０…メモリ部、４１…メモリ。
【図１】
2007096604.tif 000003
【図２】
2007096604.tif 000004
【図３】
2007096604.tif 000005
【図４】
2007096604.tif 000006
【図５】
2007096604.tif 000007